(57)【要約】【課題】簡易化され安全なデータの記憶格納・削除を達成する装置・方法を形成する。【解決手段】本発明は物理的に異なる記憶装置にデータを格納し記録する装置・方法に関する。データを物理的に異なる記憶装置に分散することで、特定のデータの削除・除去が簡素化される。更に例えば検索能力に依存して、特定のデータの格納及び保護が可能となる。更に、データセキュリティ形態の下で好適にはデータセットを異なる位置に格納し、これにより物理データセットが常に記憶装置に存在することは不可能となり、該データセットは実際に認証無しでアクセスされ得ず、このことによりデータはこの形態で移転も安全になされる。更に、全てのデータの完全な、即ち徹底的な物理的削除を保証するのに複雑な助力は要求されない。装置のパフォーマンスは、多重記憶装置へのデータ分散により、即ち短縮された応答時間及び利用可能データの増加により増大し得る。【選択図】なし【特許請求の範囲】
【請求項１】
データの格納のために、相互に物理的に独立した多重機構を伴う装置であって、相互に物理的に独立した機構に基づいたデータの格納のための機構を伴うことを特徴とする装置。
【請求項２】
請求項１に記載の装置を利用する方法であって、データが物理的に異なる記憶装置に格納されることを特徴とする方法。
【請求項３】
請求項１に記載の装置を利用する方法であって、データが物理的に異なる記憶装置の少なくとも一つから削除され除去されることを特徴とする方法。
【請求項４】
請求項２又は３に記載の方法を記録するデータ媒体。
【発明の詳細な説明】
【技術分野】
【０００１】
本発明は、物理的に異なる記憶装置にデータを格納する若しくは記憶する装置、及び方法に関する。
【背景技術】
【０００２】
データを記憶するための公知の装置に関して、個々のケースで形成され処理されたデータは、例えば、所定の基準に依存するため、異なる物理記憶装置、即ち空間上離れた記憶位置には格納できない、という不都合が指摘されている。公知の装置に関して、目的のデータセットの物理的な消去は、上記の基準に依存するならば、非常に困難である、若しくは全く不可能である。
【０００３】
更に、データへの非承認のアクセスに対する保護、若しくは火や水などの外からの影響に対する保護を構成するために、検索能力に適合するデータを検索能力に依存して異なる記憶装置に分配することは、現下では非常に費用を費やしてのみ可能である。更に、非承認で実際にアクセスされ得ない一つの記憶装置に、物理データセットが存在しないことを保証した上で、データセットを異なる位置に格納する、というような選択の自由は現在存在しない。
【０００４】
上述の問題点は、分散してデータを形成し、処理し、管理し且つ格納することにより、部分的に解決する。これらの手順は分散して処理されねばならない、という不利益点がある。更に、データは、時として変換と移動によってでも、個別のデータベース間で交換されねばならず、このことは時間とコストがかかってしまう。この交換はリアルタイムで行うことができず、更なるセキュリティ上の危険が生じてくるため、特に不利益である。
【発明の開示】
【発明が解決しようとする課題】
【０００５】
上述の不利益の背景に抗して、本発明の目的は、簡易化され改良された安全なデータの記憶格納及び／又は削除を達成する装置、及びそれに係る方法を形成することである。
【課題を解決するための手段】
【０００６】
この目的は、請求項１の特徴を備える包括的な装置により達成される。優れた実施形態が従属請求項から導出される。優れた方法及び優れたデータ媒体が均等の請求項から導出される。
【発明の効果】
【０００７】
データを物理的に異なる記憶装置に分散することによって、特定のデータの削除若しくは除去が簡素化される。更に、例えば検索能力に依存して、特定のデータの格納及び保護が、可能とされる。更に、データセキュリティ形態の下で、好適にはデータセットを異なる位置に格納し、これにより物理データセットが常に記憶装置に存在することは不可能となり、該データセットは実際に認証無しでアクセスされ得ず、このことによりデータはこの形態で移転も安全になされ得る。更に、本発明に係る装置及び方法に対して、全てのデータの、完全な、即ち、徹底的な物理的削除を保証するのに、複雑な助力は要求されない。上述の利点の他に、装置のパフォーマンスは、本発明に係る実施形態により、即ち、多重記憶装置へのデータの分散により、即ち短縮された応答時間及び利用可能データの増加により、増大し得る。
【発明を実施するための最良の形態】
【０００８】
本発明に係る装置は、データを記憶するための、相互に物理的に分離した多重装置を有する。本発明の文脈において、“物理的に分離した”とは、格納されるデータが分散され得るように個々の記憶装置が空間的に分離されているという意味で、理解されるべきである。例えば、共有コントローラで制御される多重ハードディスクが指定されているが、個々のハードディスクは取り外され得る。更に、異なる、空間上分散された位置でデータを格納し管理するために、多重サーバが指定され得る。テープ駆動装置、ハードディスク駆動装置、光学駆動装置などの、記憶媒体に対して、異なる位置の概念は適切なものである。記憶技術の実施形態及び例は、例えば、記憶装置間の空間上の分散がどの程度でなければならないか、読み取り又は書き込みの間にどんなデータスループットが達成されねばならないか、媒体は交換可能であるべきか、どの程度まで交換可能であるべきか、などに基づくものである。
【０００９】
更に、物理的に異なる記憶装置へのデータの記憶のための装置が示される。例えば、記載即ち内容に基づいて、異なる記憶装置にデータセットを配布したコントロールが示される。例えば、データセットはデータフィールド内、即ちテーブル内に個々の属性を含み、又はデータセットは全体文書を含む。例えば、分配を簡素化し明瞭さを増すために、異なる物理記憶装置が、オペレーティングシステムにより異なる論理駆動装置に割り当てられる。例えば、装置は種々のコンピュータに分散され、とりわけＴＣＰ／ＩＰなどの公知のネットワークプロトコルや、スイッチ、ハブ及び関連製品などのネットワーク装置によって、データの分散が可能になる。
【００１０】
例えば、データは、カレンダデータ、商品番号などの商業的処理、更にそれに係る通信及び書き込みに関連する情報を含み、該情報は個別の処理に割り当てられ呼び戻し可能なように格納される。
【００１１】
データの削除若しくは破棄は、物理的に異なる記憶装置へのデータの分散において簡素化される。更に、本発明に係る装置では、全データの完全な、即ち徹底的な物理的削除を確保するために、高価な助力は不要である。更に、例えば検索能力に依存する、データの特定の格納及び保護は、このように可能とされる。更に、データセキュリティの形態の下では、非認証では現実にアクセスされ得ない物理データセットが一つの配置に存在することは常に不可能である、という利点あるオプションが存在し、これにより、この形態ではデータは安全に移送されることも可能である。上述の利点と共に、装置の性能は、本発明に係る実施形態によって、即ち、多重記憶装置へのデータの分散によって、即ち、短縮される応答時間及び増加するデータの利用可能性によって、増大され得る。
【００１２】
本発明に係る実施形態により、異なる物理記憶装置へのデータセットの格納のための基準は、多重な側面を持ち得る。例えば、基準は周期である。従って、特定の周期で累積する、即ち生成される、即ち処理される販売高、書き込み若しくは全体レコードは、特定の周期のために分散して格納される、ということが保証できる。例えば、そのようなデータに対する法的な格納義務が失効するならば、例えば関連するデータ媒体の物理記録装置の削除及び破棄によって、その下にある全てのデータは非常に容易に削除され得る。
【００１３】
更なる好適な実施形態が、分散して割り当てられる記録装置を示す。例えば、火や水などの外からの影響に対する安全即ち保護に関して、特定の記憶装置が分散して設計され得る。異なる記憶装置に関連する量的な階調は、記録に関係する。例えば、データは、非認証のアクセスに対する、若しくは火や水などの外からの影響に対する保護を構成するために、検索能力に依存して異なる記憶装置に分散され、検索能力に適合し得ることになる。例えば、検索能力は、データセットへのユーザの稼動及びユーザに関連するユーザの権限に基づいて評価され、又は、検索能力を判定し目的の記憶装置へデータセットを適切に格納するためにデータセットが分析される。
【００１４】
更なる好適な実施形態では、特に利用可能データの処理を介する、データの形成のための手段が示される。例えば、このことはデータベースを含む。本発明に係るシステムは、データベースと組み合わせると特に利点がある。なぜならば、格納されるべきデータが特に大きいからである。データベースと共に、データベースのデータファイルにアクセスする更なる手段が示される。
【００１５】
更なる好適な実施形態は、データを生成するための手段、及び／又はデータの格納のための手段はデータが少なくとも一つのテーブル内に存在するように設計される、ということを示す。例えば、この目的のために関係データベースが利用され、該関係データベースはデータの関係ビューをサポートし、即ち、テーブルビュー（フラットファイル）及び関係言語、更に関係データインテグリティをサポートする。これらは本発明に係る装置のインプリメンテーションのために特に適切なものである。けだし、とりわけそれらは細かく評価可能であるからである。
【００１６】
更なる好適な実施形態によると、データを生成するための手段は、ＳＱＬ（Ｓｔｒｕｃｔｕｒｅｄ  Ｑｕｅｒｙ  Ｌａｎｇｕａｇｅ）を含む。ＳＱＬは比較的簡易な文法を備え、データベースを操作（データセットを付加し、処理し削除する）しデータにつき問い合わせるための関係代数に係るデータ構造の定義のための一連のコマンドを、利用可能にする。標準に準じる役割により、ＳＱＬは非常に重要なものとなっている。というのは相当程度まで独立が達成され得るからである。
【００１７】
更なる好適な実施形態では、データの格納のための装置が、データの分散がユーザ構造、とりわけ会社単位を伴う結合体に対応する。
【００１８】
例えば、装置が一つの会社で利用されるならば、データは、子会社、部門、企業グループ、協働会社などの、ユーザが所属する会社の組織的構造に依存して異なる物理記憶位置に格納され得る。例えば、会社単位に所属するユーザによってデータセットが生成されたら、会社単位を伴うユーザの結合体によってこの会社単位に属する記憶装置上に、データセットが格納され、これにより、ユーザの情報は、例えば認証により判定される。
【００１９】
このように、会社を拡げるデータ生成の一貫した手段を利用することによって、一方でデータの格納が特に安全とされ、他方でデータの交換が簡素化される。データの生成のために単一の手段のみが利用されるのならば、装置の管理も簡素化される。更に、記憶装置からのデータ、若しくは関連するデータ媒体からのデータが移転するとき、個々の組織上の構造のためのデータのみが受取人に、例えば規定上の権限に与えられることが、保証される。
【００２０】
更なる好適な実施形態では、データ生成手段及び／又はデータ格納装置は、データに関連する属性のための少なくとも一つのデータフィールドを含む。例えば、属性はテーブルに与えられ、これにより、テーブルに対して、若しくは、上述の基準から、例えば会社単位を伴うテーブルの結合体から、選択される記憶装置に関する推断が可能になる。
【００２１】
データが内部に格納されるテーブル若しくはデータからの特定の指示を基にして、分散が実施されるような好適な実施形態において、データ格納装置及び／又はデータ生成手段が設計される。このようにして、個々のデータセットに対する検索において、データファイルへのアクセスを伴って全部のテーブル若しくはファイルが検索される必要はなく、その代わりに予めのスクリーニングを介して検索の範囲は減少し得る、ということが果たされる。
【００２２】
更なる好適な実施形態では、データ生成手段及び／又はデータ格納装置は、データがデータグループに物理的に分割されるように、設計される。例えば、このことは多重ファイル若しくはテーブルを含む。このことにより、データがより容易に管理されることが達成される。例えば、変動し、データベース内で管理されるべき特定データ、例えば会社単位に対するデータのためのファイルが格納される。
【００２３】
更なる好適な実施形態では、テーブルは論理的に要約される。同時に、論理メモリユニットが含まれる。メモリは、データ生成手段、例えばデータベースから独立して管理され得る。データベースのために確保されるデータは、このように、ハードディスク駆動装置の分割と類似するように、格納される。このタイプの論理記憶装置は、オペレーティングシステムのレベルで固定サイズの一つ又はそれ以上のファイルによって、インプリメントされる。この論理記憶装置の管理は、例えばデータベース若しくはデータベース管理プログラムを介して行われ、オペレーティングシステムによるアクセスは大きく回避され、このことにより安全性及び速度の増加に繋がる。
【００２４】
基準の特徴の数、例えば会社単位の数に依存する種々の論理記憶装置が、一つの実施形態で示される。関連する記憶装置を伴う分散データファイルは、個々の論理記憶装置に対して定義され、例えば論理マッピング情報によって作動する。同時に、論理マッピング情報は、同じ又は異なる物理記憶装置の両方に、関連し得る。
【００２５】
更なる好適な実施形態では、データ生成手段及び／又は記憶装置は、テーブルが分割される用に設計される。同時にそれは、空間上分散されたデータベースから特に利点を得る、個別のテーブルのための組織化フォームを含む。データセットは、個別のテーブルの多重の空間分散分割に分散され、該多重の空間分散分割は、個別のデータベース管理プログラムの制御下で分散して管理され得る。データベースにアクセスするアプリケーションの観点から、全てのデータは分割テーブルの名前を介して読み取られ書き込まれ得る。分割テーブルに属するインデクスは、独立した基準、若しくはテーブルそのものに一致する基準に基づいて、同様に分割され得る。
【００２６】
分割基準は、例えば、定義されたテーブル内部の属性のための属性仕様である。この属性仕様は、関連するデータファイルを伴う個別の論理装置のテーブルにアクセスするための実施形態で利用される。このように、個々の会社単位に対するデータは、例えば、データを格納する基準として異なる論理装置に格納され得る。
【００２７】
更なる好適な実施形態では、少なくとも一つの物理的に異なる記憶装置が着脱自在のデータ媒体を含む。例えば、これは磁気テープ駆動装置、又は光学駆動装置、又は磁気光学駆動装置を含む。データ媒体は、必要であれば、容易に取り外され、保持され若しくは破棄され得る。
【００２８】
更なる好適な実施形態によると、データは商業上の知的財産権に関する情報を含む。特に、商業上の知的財産権に関するデータは、この分野の発明に関するシステムの利用が特に利点あるように、データセキュリティ形態の下で、特にアクセス可能である。このことにより、例えば、知的財産権が、出願人としての会社によって管理されるのならば、データセットは、簡素化された削除、確保、移転など最初に述べた利点を伴う会社単位に属する記憶装置に、個別に格納される。
【００２９】
本発明は更に、上述の実施形態のシステムを利用する方法に関し、これによればデータは物理的に異なる記憶装置の少なくとも一つに格納される。同時に、物理的に異なる記憶装置は異なる記憶システムに配置され得る。記憶システムは同時に異なる技術のコントローラを制御できる。異なる記憶装置のデータ記憶手段を介してデータが到着される基準は、関連するデータセットの生成若しくは処理が発生する周期により、又はデータを生成し若しくは処理するユーザにより、示され得る。但し、これら２つの例に限定されるものではない。
【００３０】
検索能力に依存するデータの保護は特定の記憶装置によって可能となり、これにより例えば別途保護された記憶装置から、データをロードする。更に、データセキュリティ形態の下で、好適にはデータセットを異なる位置に格納し、これにより物理データセットが常に記憶位置に存在することは不可能となり、該データセットは実際に認証無しでアクセスされ得ず、このことによりデータはこの形態で移転も安全になされ得る。上述の利点の他に、装置のパフォーマンスは、本発明に係る実施形態により、即ち、多重記憶装置へのデータの分散により、即ち短縮された応答時間及び利用可能データの増加により、増大し得る。
【００３１】
更なる好適な実施形態では、記憶装置に分散されたデータは記憶装置から削除される。このことによりデータは、予め記憶装置にて指示されたデータを選択する必要なく、非常に簡略に破棄され得る。従って、例えば法律上の記憶義務の終結の後、選択されたデータの物理的な削除及び破棄は、とりわけ簡略であり安全である。データの再構築はもはや可能でない。実際に、大抵のオペレーティングシステムは削除処理を規定するが、大抵は物理的にデータを削除せず、オペレーティングシステムにより規定される管理上のデータセットを除去するに過ぎない。なお、オペレーティングシステムはその管理上のデータセットに基づいて物理上の記憶位置を検索する。従来の装置で物理的な削除を行い得るには、複雑で費用のかかる援助が要求される。
【００３２】
本発明は更に、上述の方法が実施され上述の利点を生成する、ＣＤや類似物など、データ媒体に付属する。